(57)【特許請求の範囲】
【請求項１】
窓枠内に組み込まれた障子を室内外方向へ開閉することができる窓において、屋内側のロック操作部材により操作されて移動する連動部材に取り付けられた取付部、該取付部から離間する方向へ延びる連結部、該連結部の自由端縁に繋がって前記窓枠に沿う方向へ延びる掛止部からなる鈎状掛止片を前記障子の開放側縁部に取り付けられた掛止ピンに掛止して施錠する窓用ロック装置に用いられる、前記障子の開状態における前記窓用ロック装置の誤操作を防止する誤ロック防止装置であって、
前記窓枠に取り付けられる取付部材と、
該取付部材により室内外方向へ揺動可能に支持されたトリガーと、
該トリガーを室外方向へ付勢する弾性付勢手段とを備え、
前記障子の開状態では前記トリガーが前記鈎状掛止片の連結部を当止して前記連動部材の移動が阻止されるため前記ロック操作部材は操作不能となり、
前記障子を閉じることにより前記掛止ピンが前記トリガーを前記弾性付勢手段の付勢力に抗して揺動させて前記トリガーの前記連結部への当止が解除されるため前記ロック操作部材は操作可能となることを特徴とする誤ロック防止装置。
【請求項２】
前記ロック操作部材を支持して前記窓枠に取り付けられる基体の取付ねじを共用して前記取付部材を前記窓枠に取り付ける請求項１記載の誤ロック防止装置。
【請求項３】
請求項１又は２記載の誤ロック防止装置を備えた窓用ロック装置。
【発明の詳細な説明】
【技術分野】
【０００１】
本発明は、窓枠内に組み込まれた障子を室内外方向へ開閉することができる窓に用いられるロック装置に関わり、更に詳しくは、障子の開状態において窓用ロック装置の誤操作を防止することができる誤ロック防止装置及びそれを備えた窓用ロック装置に関するものである。
【背景技術】
【０００２】
縦すべり出し窓、横すべり出し窓、片開き窓又は突出し窓等のような窓枠内に組み込まれた障子を室内外方向へ開閉することができる窓に用いられるロック装置として、障子の開状態におけるロック操作を防止する誤ロック防止装置を備えたものがある（例えば、特許文献１〜３参照。）。
特許文献１の窓用ロック装置は、切り欠きが形成されたカムを障子開放側縁部の係合部材と対応させて窓枠に設け、窓枠に支持されながらロック操作部材により操作されて上下に移動する移動部材に、カムの切り欠きに嵌るカムフォロワが設けられた略Ｕ字状のフックを揺動自在に取り付け、フックを係合部材に係合させて障子をロックするものであり、その誤ロック防止装置は、障子の開状態において、カムにより揺動可能に支持されたストッパーの板状突出部を移動部材の切り欠きに係合させることにより移動部材の移動を阻止するものである。
また、特許文献２の窓用ロック装置は、窓枠にねじ止めされたケース内に収容されて上下移動可能に支持され、ケースにより回動可能に支持された操作レバーにより操作されて上下に移動する略し字状のカマを障子開放側縁部の係止ローラーに係合させて障子をロックするものであり、その誤ロック防止装置は、障子の開状態において、ケースにより揺動可能に支持されたトリガーの端部にカマに形成した係止突部を衝接させることによりカマの移動を阻止するものである。
さらに、特許文献３の窓用ロック装置は、窓枠に支持されながらロック操作部材により操作されて上下に移動する連動部材に鈎状掛止片を取り付け、鈎状掛止片を障子開放側縁部の掛止ピンに係合させて障子をロックするものであり、その誤ロック防止装置は、障子の開状態において、連動部材により揺動可能に支持されたトリガーの当止部を窓枠に取り付けられたトリガー受けの受部により当止することにより連動部材の移動を阻止するものである。
以上のような誤ロック防止装置を備えた窓用ロック装置は、障子の開状態では誤ロック防止装置が作用状態となるため誤操作が防止され、障子の閉状態では誤ロック防止装置が非作用状態となるため施錠することができる。
【先行技術文献】
【特許文献】
【０００３】
【特許文献１】特許第３７７７４６０号公報
【特許文献２】特許第４３３７０６８号公報
【特許文献３】特開２００９−２８１０１３号公報
【発明の概要】
【発明が解決しようとする課題】
【０００４】
特許文献１の誤ロック防止装置を備えた窓用ロック装置は、フックが揺動しつつ傾斜部によって障子を引き込む構成により障子の引き寄せ距離が大きくなる等の特徴がある反面、障子の係合部材と対応するカム、移動部材に揺動自在に取り付けられて係合部材及びカムと組をなすフック並びにフックに固定されたカムフォロワ等により施錠機構が構成されることから、構造が比較的複雑であり部品点数が多くなるため製造コストが増大するとともに、その誤ロック防止装置が窓枠に取り付けたカムにより揺動可能に支持されたストッパーの板状突出部を移動部材に形成した切り欠きに係合させて移動部材の移動を阻止して誤操作を防止する構成であるため、誤ロック防止装置を構成する部品の強度や精度が低下する場合がある。
【０００５】
また、特許文献２の誤ロック防止装置を備えた窓用ロック装置は、カマに形成した上下の案内長孔にケースに貫設された上下の案内ピンを摺動させることによりカマをケースに対して上下方向に移動可能に案内するとともに、上方の案内ピンにより操作レバーを支承し、下方の案内ピンによりトリガーを支承する構成であることから、カマの構造及び厚板を折り曲げ成形して裏板をかしめ付けてなる略箱状のケースの構造が比較的複雑であるため製造コストが増大する
さらに、特許文献３の誤ロック防止装置を備えた窓用ロック装置は、施錠のための鈎状掛止片が取り付けられた連動部材にトリガーも取り付けられており、連動部材と別体にトリガーを取り付ける構成と比較して、トリガーの取付部材が不要になるとともに施工の際におけるトリガーの取り付け作業が不要になる反面、トリガーの当止部を当止するトリガー受けという別部品が必要になるとともに、トリガー受けを窓枠に取り付ける必要があるため、窓枠にトリガー受けを取り付けるスペースがない場合には誤ロック防止装置を構成することができない。
さらにまた、特許文献１〜３の誤ロック防止装置を備えた窓用ロック装置のいずれの構成においても、既設の窓用ロック装置（サブロック）が取り付けられたサッシに対し、既設部品を取り外すことなく後付けで誤ロック防止装置（トリガー機能）を取り付けることができない。
【０００６】
そこで本発明が前述の状況に鑑み、解決しようとするところは、簡素な構成の誤ロック操作防止装置により製造コストを低減することができるとともに部品の強度や精度の低下がなく、窓枠にトリガー受けを取り付けるスペースがない場合であっても誤ロック防止装置を構成することができ、誤ロック防止装置を備えていない既設の窓用ロック装置に対して既設部品を取り外すことなく後付けで取り付けることができる誤ロック防止装置及びそれを備えた窓用ロック装置を提供する点にある。
【課題を解決するための手段】
【０００７】
本発明に係る誤ロック防止装置は、前記課題解決のために、窓枠内に組み込まれた障子を室内外方向へ開閉することができる窓において、屋内側のロック操作部材により操作されて移動する連動部材に取り付けられた取付部、該取付部から離間する方向へ延びる連結部、該連結部の自由端縁に繋がって前記窓枠に沿う方向へ延びる掛止部からなる鈎状掛止片を前記障子の開放側縁部に取り付けられた掛止ピンに掛止して施錠する窓用ロック装置に用いられる、前記障子の開状態における前記窓用ロック装置の誤操作を防止する誤ロック防止装置であって、前記窓枠に取り付けられる取付部材と、該取付部材により室内外方向へ揺動可能に支持されたトリガーと、該トリガーを室外方向へ付勢する弾性付勢手段とを備え、前記障子の開状態では前記トリガーが前記鈎状掛止片の連結部を当止して前記連動部材の移動が阻止されるため前記ロック操作部材は操作不能となり、前記障子を閉じることにより前記掛止ピンが前記トリガーを前記弾性付勢手段の付勢力に抗して揺動させて前記トリガーの前記連結部への当止が解除されるため前記ロック操作部材は操作可能となることを特徴とする。
【０００８】
このような構成によれば、誤ロック防止装置が、取付部材、トリガー及び弾性付勢手段からなる簡素な構成であるため、製造コストを低減することができるとともに、揺動するトリガーの遊端部が鈎状掛止片の連結部を当止する構成であるため、これらの部品の強度や精度を向上することが容易である。
その上、窓枠にトリガー受けを取り付ける必要がないため、窓枠にトリガー受けを取り付けるスペースがない場合であっても使用することができる。
その上さらに、窓枠に取り付けられる取付部材にトリガー及び弾性付勢手段を取り付けてユニット化されているため、このようにユニット化された誤ロック防止装置を、誤ロック防止装置を備えていない既設の窓用ロック装置に対して既設部品を取り外すことなく後付けで取り付けることができる。
【０００９】
ここで、前記ロック操作部材を支持して前記窓枠に取り付けられる基体の取付ねじを共用して前記取付部材を前記窓枠に取り付けると好ましい。
このような構成によれば、窓用ロック装置の基体の取付ねじを共用して取り付けることができるため、誤ロック防止装置を備えていない既設の窓用ロック装置に対して、現場合わせで窓枠にねじ穴を加工することなく後付けで容易に取り付けることができる。
【００１０】
また、本発明に係る窓用ロック装置は、前記誤ロック防止装置を備えたものである。
【発明の効果】
【００１１】
以上のように、本発明に係る誤ロック防止装置及びそれを備えた窓用ロック装置によれば、誤ロック防止装置が、取付部材、トリガー及び弾性付勢手段からなる簡素な構成であるため、製造コストを低減することができ、揺動するトリガーの遊端部が鈎状掛止片の連結部を当止する構成であるため、これらの部品の強度や精度を向上することが容易であり、窓枠にトリガー受けを取り付ける必要がないため、窓枠にトリガー受けを取り付けるスペースがない場合であっても使用することができるとともに、ユニット化された誤ロック防止装置を、誤ロック防止装置を備えていない既設の窓用ロック装置に対して既設部品を取り外すことなく後付けで取り付けることができるという顕著な効果を奏する。
【図面の簡単な説明】
【００１２】
【図１】本発明の実施の形態に係る誤ロック防止装置及び窓用ロック装置の構成を示す正面図であり、障子が開いて誤ロック防止装置が作用している状態を示している。
【図２】同正面図であり、障子が閉じて誤ロック防止装置の作用が解除された状態を示している。
【図３】同正面図であり、窓用ロック装置の作用状態を示している。
【図４】同横断平面図であり、障子が開いて誤ロック防止装置が作用している状態を示している。
【図５】誤ロック防止装置を示しており、（ａ）は前方から見た図、（ａ）は正面図、（ｃ）は背面図である。
【図６】（ａ）は連動部材及び鈎状掛止片等と共に示す誤ロック防止装置の分解斜視図、（ｂ）は鈎状掛止片単体の斜視図である。
【図７】障子が開いて誤ロック防止装置が作用している状態における連動部材及び鈎状掛止片等と誤ロック防止装置を取り出して示す斜視図である。
【図８】誤ロック防止装置を備えていない既設の窓用ロック装置の例を示す正面図である。
【発明を実施するための形態】
【００１３】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、室内側から室外側へ向かう方向の前側を前、後側を後とし、左右は前方に向かっていうものとし、左方から見た図を正面図とする。
【００１４】
図１〜図４に示す窓２１は、室内側から操作する図示しないオペレーターにより窓枠２２内に納められた障子２３を前側（室外側）へ開くことができるとともに、開いた障子２３を窓枠２２内へ納めるように閉じることができるものであり、例えば縦すべり出し窓である場合を示している。
窓枠２２は横枠である上枠及び下枠並びに左右の縦枠２２Ｓ，２２Ｓにより、障子２３は横框である上框及び下框並びに左右の縦框２３Ｓ，２３Ｓ及びガラス等により構成されており、上枠と上框との間並びに下枠と下框との間にそれぞれ取り付けられた図示しない上下のステーにより障子２３は窓枠２２により支持され、障子２３の閉状態において、窓用ロック装置１により障子２３は窓枠２２に対して施錠される。
【００１５】
図１〜図４に示すように、窓用ロック装置１は、右縦枠２２Ｓの屋内側に取り付けられた基体１Ａ、基体１Ａにより支持されて左右方向の支軸２Ａまわりに揺動するロック操作部材２、屋外方向へ突出してロック操作部材２の揺動に伴って揺動する連結片２Ｂ、右縦枠２２Ｓに沿って上下方向に移動可能に支持され、連結片２Ｂにより操作されて上下方向に移動する連動部材３、連動部材３に取り付けられた鈎状掛止片７、障子２３の開放側縁部（開閉端である右縦框２３Ｓ（戸先框））に取り付けられて鈎状掛止片７により掛止される掛止ピン１９等により構成される。
ここで、図１〜図３及び図６（ａ）に示すように、上下方向に延びる略矩形板状の連動部材３には、その上下端に合成樹脂製のガイド体４，５が取り付けられ、上下のガイド体４，５が、図４に示す右縦枠２２Ｓに形成したガイド溝２０に係合するため、連動部材３は、ガイド溝２０にガイドされながら右縦枠２２Ｓに沿って上下方向に移動可能に支持される。
【００１６】
また、連動部材３下端の下ガイド体５には左方に突出する連動ピン６が取り付けられ、連動ピン６は連結片２Ｂのロック操作用長孔２Ｃに挿通されるため、図２及び図３に示すようにロック操作部材２の操作による支軸２Ａまわりの連結片２Ｂの揺動に連動して連動部材３は上下方向に移動する。
さらに、図６（ｂ）に示すように、鈎状掛止片７は連動部材３の上下方向中間位置（上下のガイド体４，５の間）に取り付けられた取付部７Ａ、取付部７Ａから左方（取付部７Ａから離間する方向）へ延びる連結部７Ｂ、連結部７Ｂの自由端縁に繋がって上方（窓枠に沿う方向）へ延びる掛止部７Ｃからなる。
【００１７】
さらにまた、窓用ロック装置１は、誤ロック防止装置Ａを備えており、誤ロック防止装置Ａは、図５及び図６（ａ）に示すように、右縦枠２２Ｓに取り付けられる取付部材８、取付部材８により前後方向へ揺動可能に支持されたトリガー９、トリガーを前方へ付勢する弾性付勢手段である圧縮コイルばね１１を備えている。
図６（ａ）に示すように、取付部材８は上下方向に長い平面視略アングル状であり、段付シャフト１０を右方からトリガー９上端部（基端部）の通孔９Ａ及び取付部材８上端部の通孔８Ａに挿通して軸端をかしめることにより、トリガー９下端部（遊端部）が前後方向へ揺動可能なように取付部材８にトリガー９が取り付けられ、取付部材８に突設された係合凸部８Ｂがトリガー９の通孔９Ａ下方の前後長孔９Ｂに係合するため、取付部材８に対するトリガー９の揺動角度範囲が制限される。
【００１８】
また、図５及び図６（ａ）に示すように、取付部材８とトリガー９との間には、取付部材８のばね支持凸部１３及びトリガー９のばね支持凸部１４がコイル両端部に挿入された圧縮コイルばね１１が介在しているため、トリガー９は前方へ弾性付勢されており、図１、図４、図５（ｂ）及び図７に示す障子２３の開状態では、トリガー９の下端部（遊端部）である当止部９Ｃが鈎状掛止片７の連結部７Ｂの真上に位置している。
ここで、誤ロック防止装置Ａは、取付部材８にトリガー９及び圧縮コイルばね１１を取り付けて図５に示すようにユニット化されているため、図８に示す窓用ロック装置１のロック操作部材２を支持して右縦枠２２Ｓに取り付けられる基体１Ａの上下の取付ねじ１７，１８を共用し、図５（ａ）に示す取付部材８の切欠１５及び通孔１６を利用して図１に示すように右縦枠２２Ｓに容易に取り付けることができる。
【００１９】
次に、誤ロック防止装置Ａ及び窓用ロック装置１の動作について説明する。
図１に示す障子２３の開状態では、上述のとおりトリガー９の当止部９Ｃが鈎状掛止片７の連結部７Ｂの真上に位置していることから、窓用ロック装置１のロック操作部材２を下方へ操作しようした際に、当止部９Ｃにより連結部７Ｂが当止されてロック操作部材２の操作に連動する連動部材３の上方への移動が阻止され、ロック操作部材２は操作不能となるため、誤操作が防止される。
この障子２３の開状態から、図示しないオペレーターにより障子２３を閉じる方向へ移動させて障子２３開放側縁部の掛止ピン１９が図１中の矢印Ａ１のように窓枠２２に近づき、図２のように掛止ピン１９がトリガー９を圧縮コイルばね１１の付勢力に抗して揺動させた障子２３の閉状態では、トリガー９が連結部７Ｂの真上から後方へ移動してトリガー９の連結部８Ｂへの当止が解除される。
したがって、ロック操作部材２は図２中の矢印Ａ２のように操作可能となり、図３のようにロック操作部材２を下方へ操作した状態では、図３中の矢印Ａ３のように連動部材３とともに鈎状掛止片７が上方へ移動して掛止ピン１９を掛止するため、窓用ロック装置１により障子２３は窓枠２２に対して施錠される。
【００２０】
以上のような構成の誤ロック防止装置Ａによれば、誤ロック防止装置Ａが、取付部材８、トリガー９及び圧縮コイルばね１１からなる簡素な構成であるため、製造コストを低減することができるとともに、揺動するトリガー９の当止部９Ｃが鈎状掛止片７の連結部７Ｂを当止する構成であるため、これらの部品の強度や精度を向上することが容易である。
また、窓枠２２にトリガー受けを取り付ける必要がないため、窓枠２２にトリガー受けを取り付けるスペースがない場合であっても使用することができる。
さらに、窓枠２２に取り付けられる取付部材８にトリガー９及び圧縮コイルばね１１を取り付けてユニット化されているため、このようにユニット化された誤ロック防止装置Ａを、誤ロック防止装置Ａを備えていない既設の窓用ロック装置１（例えば図８参照。）に対して既設部品を取り外すことなく後付けで取り付けることができる。
さらにまた、窓用ロック装置１の基体１Ａの取付ねじ１７，１８を共用して取り付けることができるため、誤ロック防止装置Ａを備えていない既設の窓用ロック装置１に対して、現場合わせで窓枠２２にねじ穴を加工することなく後付けで容易に取り付けることができる。
【００２１】
以上の説明においては、窓２１が縦すべり出し窓である場合について説明したが、窓２１は、横すべり出し窓、片開き窓又は突出し窓等であってもよく、窓２１が例えば横すべりだし窓である場合には、連動部材３を、窓枠２２の下枠に沿って左右方向に移動可能に支持し、基体１Ａ、ロック操作部材２及び連結片２Ｂを上下方向の支軸まわりに揺動するように下枠に取り付け、誤ロック防止装置Ａを下枠に取り付け、掛止ピン１９を障子２３の戸先框である下框に取り付ければよい。
【符号の説明】
【００２２】
Ａ  誤ロック防止装置
１  窓用ロック装置
１Ａ  基体
２  ロック操作部材
２Ａ  支軸
２Ｂ  連結片
２Ｃ  ロック操作用長孔
３  連動部材
４，５  ガイド体
６  連動ピン
７  鈎状掛止片
７Ａ  取付部
７Ｂ  連結部
７Ｃ  掛止部
８  取付部材
８Ａ  通孔
８Ｂ  係合凸部
９  トリガー
９Ａ  通孔
９Ｂ  前後長孔
９Ｃ  当止部
１０  段付シャフト
１１  圧縮コイルばね（弾性付勢手段）
１３，１４  ばね支持凸部
１５  切欠
１６  通孔
１７，１８  取付ねじ
１９  掛止ピン
２０  ガイド溝
２１  窓
２２  窓枠
２２Ｓ  縦枠
２３  障子
２３Ｓ  縦框
【図１】
0005609733.tif 000002
【図２】
0005609733.tif 000003
【図３】
0005609733.tif 000004
【図４】
0005609733.tif 000005
【図５】
0005609733.tif 000006
【図６】
0005609733.tif 000007
【図７】
0005609733.tif 000008
【図８】
0005609733.tif 000009